(57)【要約】      （修正有）【課題】グローブに装着できるように工夫したクリップマーカーを提供する。【解決手段】クリップ本体のうち一半部１２Ａの中間位置にマーカを取着するための台座１８が設けられる。一半部１２Ａの先端は外方に折り曲げられ、他半部１２Ｂは一半部１２Ａの先端と同程度の長さに選定されると共に、他半部１２Ｂはその先端までストレート状に加工される。このクリップマーカによれば、グローブのスナップに装着して使用されるので、台座１８の位置が目視により確認でき、台座１８へのマーカの取り付けが確実である。マーカの取り外し方向がクリップ本体のスナップへの差し込み方向（取り付け方向）と直交する向きであるので、マーカ取り外し時にクリップ本体がスナップより外れる虞はない。小型で、軽量であるため、グローブに装着した状態でプレーしてもプレー中に違和感を覚える虞もないし、アクセサリーとしても機能する。【選択図】図２
0003193531.tif 000002
【実用新案登録請求の範囲】
【請求項１】
クリップ機能を有するＵ字状の折曲片が使用され、この折曲片のうち一半部の中間位置に設けられたマーカを取着するための台座からなるクリップ本体と、マグネットが取り付けられたマーカとでクリップマーカが構成され、
上記一半部の先端は外方に折り曲げられ、
上記他半部は上記一半部の先端と同程度の長さに選定されると共に、上記他半部はその先端までストレート状に加工され、
上記台座が外側を向くようにグローブのスナップに常時差し込まれて使用される
ことを特徴とするグローブ装着用クリップマーカ。
【請求項２】
上記台座は上記クリップ本体と一体成形されると共に、
上記一半部に連なる上記台座とこの一半部との間には多少の段差が設けられた圧接部が設けられ、
上記台座の表面には同心円状の複数の凹部が形成されてなる
ことを特徴とする請求項１記載のグローブ装着用クリップマーカ。
【請求項３】
上記他半部のうちその先端近傍には、数条に亘り波状に折り曲げられた圧接部が設けられ、
上記一半部との協働で、グローブのスナップより外れにくくした
ことを特徴とする請求項１または２記載のグローブ装着用クリップマーカ。
【考案の詳細な説明】
【技術分野】
【０００１】
この考案はクリップマーカ特にプレーヤのグローブに取り付けて使用できるようにしたグローブ装着用クリップマーカに関する。
【背景技術】
【０００２】
グリーンに上がったゴルフプレーヤは、ボールをマークしてからパッティングに備える。ボールマーカとして近年では樹脂製マーカの替わりに、金属製のマーカが使用されることが多くなってきた。この金属製マーカには小さなマグネットが嵌め込まれており、一般的には帽子のキャップ（鍔部）に取り付けたクリップに固定しておく。使用するときは、マーカをクリップから外して使用する。
【０００３】
このようなキャップに取り付けて使用するクリップマーカとしては特許文献１〜３のようなものが知られている。特許文献１は保護膜を設けてマーカやマーカを取り付けるホルダーの傷付きを防ぐものであり、特許文献２はクリップ体を弾圧的となるように回動自在に構成したものである。これに対し、特許文献３はグローブ自体にマーカのホルダー機能を持たせたものである。
【先行技術文献】
【特許文献】
【０００４】
【特許文献１】特開２０１３−１８３７７４号公報
【特許文献２】特開２００６−１８７３５４号公報
【特許文献３】特開２００８−８１９１０号公報
【考案の概要】
【考案が解決しようとする課題】
【０００５】
ところで、上述した特許文献１は、帽子の鍔にクリップを取り付けて使用するものであるが、クリップのうちマーカを取り付ける部分（台座という）はクリップ部分よりも大きな専用の部材を貼り付けて使用する場合が多い。マーカはこの台座に丁度収まるように取着し、これを外して使用する。
【０００６】
マーカをこの台座の中心に収まるように止めないと、マーカが外れやすくなる。台座は目視できないので、台座の中心に収まるようにマーカを止めるのは以外と難しい。マーカを外れにくくするためには、必然的に台座を大きくしたり、磁力の強いマグネットを使用しなければならない。それに伴ってクリップ自体も握持力が強くなるように、クリップの厚みを厚く、長くして、鍔にしっかり固定できるものでなければならない。これは、マーカを取り外すときの方向が、クリップの差し込み方向とは逆の方向となるから、マーカを取り外すときの力に抗するだけの狭持力を保持する必要があるからである。
【０００７】
このようなことからして、帽子に取り付けて使用するクリップマーカは、全体として重く、大きくならざるを得ず、材料費も嵩む。これは、目視できなく、見づらい場所に取り付けて使用するからに他ならない。
【０００８】
これに対し、特許文献３の場合には、グローブ自体にマーカを止めるための部材（マグネットや、金属板）を取り付ける構成となっているので、マーカを止めるための部材がマグネットであれ、金属板であれ、該部材とマーカとの間には必ずグローブ用布地が介在する。そのため、マーカの止め方にバラツキが生じたり、それを防ぐには多少強めのマグネットを使用する必要があり、コスト高を招く。加えて、該部材が大きくなったり、重くなると、スイング時に違和感を覚える嫌いがある。
【０００９】
グローブ自体にマーカを止めるための部材（マグネットや、金属板）を取り付ける必要があるため、クリップマーカ単体としては商品化できない。クリップマーカ付きのグローブとして販売しなければならないから、クリップマーカ単体を商品として提供できない嫌いがあるし、ある程度使用しているとグローブのスナップ（止め用の舌片）が痛み、破断する恐れがあり、長持ちしにくいという問題も考えられる。
そこで、この考案はこのような従来の課題を解決したものであって、マーカを目視しながら止めることができると共に、プレー中の違和感を払拭したグローブ装着用クリップマーカを提案するものである。
【課題を解決するための手段】
【００１０】
上述の課題を解決するため、この考案に係るグローブ装着用クリップマーカは、
クリップ機能を有するＵ字状の折曲片が使用され、この折曲片のうち一半部の中間位置に設けられたマーカを取着するための台座からなるクリップ本体と、マグネットが取り付けられたマーカとでクリップマーカが構成され、
上記一半部の先端は外方に折り曲げられ、
上記他半部は上記一半部の先端と同程度の長さに選定されると共に、上記他半部はその先端までストレート状に加工され、
上記台座が外側を向くようにグローブのスナップに常時差し込まれて使用されることを特徴とする。
請求項２記載のこの考案に係るグローブ装着用クリップマーカは、
上記台座は上記クリップ本体と一体成形されると共に、
上記一半部に連なる上記台座とこの一半部との間には多少の段差が設けられ、
上記台座の表面には同心円状の複数の凹部が形成されてなることを特徴とする。
請求項３記載のこの考案に係るグローブ装着用クリップマーカは、
上記他半部のうちその先端近傍には、数条に亘り波状に折り曲げられた圧接部が設けられ、
上記一半部との協働で、グローブのスナップより外れにくくしたことを特徴とする。
【考案の効果】
【００１１】
この考案に係るグローブ装着用クリップマーカは、グローブに装着した状態で使用されるものであるから、以下のような特徴を有する。
まず、使用者は台座を目視してマーカを取り付けたり、取り外したりすることができるので、台座の中心にマーカを確実に止めることができる。したがってマーカが不安定な状態で台座に止められる虞がない。台座の中心にマーカを何時でも止めることができるので、マーカに嵌め込まれたマグネットの磁力が差ほど大きくなくてもずり落ちたりすることがないから、マグネット自身を小型で弱磁力のものを使用できる。
【００１２】
クリップ本体はスナップに差し込まれている関係上、マーカはクリップ本体の差し込み方向（取り付け方向）に対しほぼ垂直となる方向に取り外すことができるし、また垂直方向にずらしながら取り外すのが最も安定で、かつ簡単に取り外せる。この取り外し方向はクリップ本体の差し込み方向とはほぼ直交する方向となるため、何度使用してもクリップ本体がスナップからずれたり、外れたりすることはない。
【００１３】
このことは、クリップ本体は握持力の強いものでなくても実用上差し支えないので、クリップ本体自体を長目にするだけで、このクリップ本体を薄く、軽く、小さくできる。
このように軽量、軽薄で小型に成形できるから、クリップマーカ自体を軽量化でき、このことはこの軽量化および小型化によってクリップマーカをグローブに付けた状態でプレーしても、スイング中にプレーヤが違和感を覚えるような虞は全くない。
【図面の簡単な説明】
【００１４】
【図１】この考案に係るグローブ装着用クリップマーカの一例を示す平面図である。
【図２】その側面図である。
【図３】その裏面図である。
【図４】マーカの一例を示す裏面図である。
【図５】グローブへの装着状態を示す図である。
【図６】マーカの取り外し時の状態を示す図である。
【図７】この考案に係るグローブ装着用クリップマーカの他の例を示す側面図である。
【図８】この考案に係るグローブ装着用クリップマーカのさらに他の例を示す側面図である。
【図９】この考案に係るグローブ装着用クリップマーカのさらに他の例を示す平面図である。
【図１０】その側面図である。
【図１１】その裏面図である。
【図１２】図９に示すマーカの取り外し時の状態を示す図である。
【考案を実施するための形態】
【００１５】
続いて、この考案に係わるクリップマーカ１０について図を参照して詳細に説明する。
【実施例１】
【００１６】
この考案に係わるクリップマーカ１０はグローブのスナップに差し込んで使用されるものであって、図１はこの考案によるクリップマーカ１０の平面図であり、図２はその側面図である。クリップマーカ１０は図１に示すようにクリップ本体１０Ａとマーカ１０Ｂとで構成される（マーカ１０Ｂは図４に示す）。クリップ本体１０Ａは弾力性を有した折曲片からなるクリップ１２と、台座１８とで構成される。
【００１７】
クリップ本体１０Ａはグローブのスナップ（何れも図５参照）に差し込んでこのスナップに固定するためのものであり、一半部１２Ａと他半部１２Ｂからなる折曲片（クリップ）１２が使用され、このクリップ１２は図３からも明らかなように幅狭で、細長く、しかもその厚みが薄い、しかし弾力性を有する舌片が使用される。
【００１８】
一半部１２Ａと他半部１２Ｂとはほぼ同じ長さに選定されると共に、一半部１２Ａの中間位置には台座１８が一体形成される。台座１８は後述するマーカ１０Ｂの大きさとほぼ同じ大きさと形状に選定される（図２参照）。一半部１２Ａの先端部は外側に反り返るように成形される。これはクリップ本体１０Ａをスナップに差し込み易くするためである。
【００１９】
台座１８はマーカ１０Ｂを取り付けるためのもので、平面構成であり、クリップ１２と一体であって、プレス成形されたものである。図２のようにクリップ１２よりも多少厚みがあるように成形される。つまり、台座１８と一半部１２Ａとの間には多少の段差を持つように加工されている。この段部２０は台座１８の形状を浮き立たせるための工夫である。
【００２０】
台座１８の大きさはマーカ１０Ｂの大きさと同程度となされ、本例では女子プレーヤに好まれるような形状、例えばハート型の形状に選定されている。他半部１２Ｂの長さは上述したように一半部１２Ａの長さと同程度となるように選定されると共に、クリップ１２は従来のものよりも長めに選ばれている。具体的には図５にも示すようにスナップの幅の半分以上の長さとなっている。
【００２１】
図２に示すように一半部１２Ａと他半部１２Ｂとの対向間隔は、スナップの厚みよりも僅かに狭くなされている。このような長さと対向間隔に設定したのは、十分な握持力を得るための弾力性を付与するためであることに加え、ある程度の長さと幅狭の対向間隔を確保することで、一半部１２Ａの先端形状と相俟って、クリップ本体１０Ａをスナップに差し込みし易く、しかも差し込んだ後はスナップから抜けにくくなるようにするためである。
【００２２】
マーカ１０Ｂは図４に示すように、その裏面（台座１８と対峙する面）には、円形状の凹部２２が設けられ、ここに接着剤などを使用して円盤状の磁石２４が嵌合固定される。磁石２４の外面とマーカ１０Ｂの裏面とは面一となるように加工が施される。マーカ１０Ｂの大きさは、台座１８とほぼ同じ大きさであって、形状も台座１８と同じハート型である。
【００２３】
図１に示すように、この考案に係わるクリップマーカ１０は、特にグローブに使用しても違和感がないように工夫されている。具体的にはＦｅなどの素材を用いて加工される。厚みは台座１８を含めて約１ｍｍで、クリップ本体１０Ａの長さ（他半部１２Ｂの長さ）は約３７ｍｍ、幅は５ｍｍであって、台座１８は最長２２ｍｍである。クリップ本体１０Ａの重さとマーカ１０Ｂの重さはほぼ同じであって、この例では６グラムに設計されている。したがってクリップマーカ１０全体は１２グラム程度である。
【００２４】
因みに、帽子の鍔に取り付けて使用する従来のクリップマーカでは、クリップ本体自体の長さは２０〜３０ｍｍ程度であるが、重さは２７〜３０ｇ程度ある。これをそのままグローブ３０に取り付けて使用するには重過ぎ、プレー中での違和感を払拭できない。本例のものでは、従来の約半分以下の重さであるため、クリップマーカ１０を装着しているという感じがない。
【００２５】
さて、このように構成されたクリップマーカ１０の取り付け後の使用例について説明する。図５に示すようにグローブ３０のスナップ３２は一般的に図のような形状となっており、グローブ本体とスナップ３２との間には面ファスナ３４が縫合され、この面ファスナ３４を使用してスナップ３２の取り付け、取り外しを行っている。
【００２６】
このようなスナップ３２に対し、クリップ本体１０Ａは指先側のスナップ３２側部より差し込まれる。図５は差し込まれた状態を示す。台座１８にはマーカ１０Ｂが取着されているので、ゴルフボールをマークするときには、図６のようにクリップ本体１０Ａの差し込み方向とは直交する向き（プレーヤの側、つまり内側）に引きながら取り外す。
【００２７】
マーカ１０Ｂの取り外し方向がクリップ本体１０Ａの差し込み方向とは直交する方向となり、しかも取り付け、取り外し時のストローク（アクション）も短くなるので、クリップ本体１０Ａがずれたり、スナップ３２から外れるような虞はない。マーカ１０Ｂの取り外しは、グローブ３０を嵌めている状態で行われる。面ファスナ３４によってグローブ本体とスナップ３２とが密着しているので、このことも幸いしてクリップ本体１０Ａが強固にスナップ３２に保持された状態を維持できる。クリップマーカ１０を装着するグローブ３０は、その種類・メーカを問わずに利用できるので、汎用性が高い。
【００２８】
帽子の鍔などにクリップ本体１０Ａを取り付けるものでは、クリップ本体１０Ａの差し込み方向とマーカ１０Ｂの取り外し方向が同じような向きとなることが多い。そのため、クリップ本体１０Ａとしては厚みがあって、その幅も５〜１０ｍｍとなるようなものを使用しないと、マーカ１０Ｂの取り外し回数が多くなるにつれ、クリップ本体１０Ａが抜け易くなってしまう。そのため、クリップ本体１０Ａ自体が大きく、重たくならざるを得ず、コスト高を招来していた。
【実施例２】
【００２９】
続いて、この考案に係るグローブ装着用クリップマーカ１０の他の例を説明する。
図７に示す実施例は一半部１２Ａの変形例である。この例では、台座１８より先端部側の一半部１２Ａに数条からなる波状の圧接部２６を設けた例である。
【００３０】
このような波形の圧接部２６を形成することでスナップ３２への食い込みが強くなり、クリップ本体１０Ａのスナップ３２への握持力が強まる。これによって、特にクリップ本体１０Ａの差し込み位置が大きくずれるようなことがなくなり、スナップ３２への装着が非常に安定する特徴を有する。
【実施例３】
【００３１】
図８に示す実施例はマーカ１０Ｂの取り外しを容易にするための変形例である。この例では、台座１８に対しその全周に亘り例えば、台座１８形状と相似な幅狭の凹部２８を形成した例である。この凹部２８を形成することによってマーカ１０Ｂの台座１８表面に対する接触面積が面一の場合よりも少なくなるのでマーカ１０Ｂの取り外し時の力を軽減できる特徴を有する。凹部２８は同心を中心にさらに設けても良い。
【実施例４】
【００３２】
図９に示す実施例はクリップ本体１０Ａの変形例である。図９はその平面図、図１０はその側面図、図１１はその裏面図である。
図１および図４の例では、マーカ１０Ｂ、台座１８共にハート形に成形したものが使用されているが、本例では台座１８およびマーカ１０Ｂ共に円形をなす（マーカ１０Ｂは図示しない）。マーカ１０Ｂとしてはゴルフボールを模した表面形状とすることができる。その他の構成は実施例１の場合と同様であるので、その説明は割愛する。
【００３３】
図９に示すクリップマーカ１０の使用例を図１２に示す。図１２はグローブ３０に装着したクリップマーカ１０において、マーカ１０Ｂを取り外し時の例を示す。この場合においても、マーカ１０Ｂの取り外し方向がクリップ本体１０Ａの差し込み方向とは直交する方向となるので、クリップ本体１０Ａがずれたり、スナップ３２から外れるような虞はない。
【００３４】
図９に示すグローブ装着用のクリップマーカ１０の一半部１２Ａや台座１８に、図７、図８に示す構成を施すことができることは容易に理解できる。
各実施例とも、台座１８やマーカ１０Ｂの形状を始めとしてクリップ本体１０Ａの形状などについては種々変形できることも容易に理解できる。素材も限定されない。
【産業上の利用可能性】
【００３５】
この考案に係るグローブ装着用クリップマーカ１０は、ゴルフ用品として利用可能である。
【符号の説明】
【００３６】
１０・・・クリップマーカ
１０Ａ・・・クリップ本体
１０Ｂ・・・マーカ
１２・・・・クリップ（折曲片）
１２Ａ・・・一半部
１２Ｂ・・・他半部
１８・・・・台座
２０・・・・段部
２２・・・・凹部
２４・・・・磁石
２６・・・・圧接部
２６・・・・マグネット
３０・・・・グローブ
３２・・・・スナップ
【図５】
0003193531.tif 000003
【図６】
0003193531.tif 000004
【図７】
0003193531.tif 000005
【図８】
0003193531.tif 000006
【図９】
0003193531.tif 000007
【図１０】
0003193531.tif 000008
【図１１】
0003193531.tif 000009
【図１２】
0003193531.tif 000010
【図１】
0003193531.tif 000011
【図２】
0003193531.tif 000012
【図３】
0003193531.tif 000013
【図４】
0003193531.tif 000014